【手続補正書】
【提出日】平成19年9月19日(2007.9.19)
【手続補正１】
【補正対象書類名】明細書
【補正対象項目名】発明の名称
【補正方法】変更
【補正の内容】
【発明の名称】個人用ブックマーク自動作成機能を有したＷＷＷサーバー、ＷＷＷサーバーにより個人用ブックマークを作成して利用者のコンピュータに送出する方法
【手続補正２】
【補正対象書類名】明細書
【補正対象項目名】特許請求の範囲
【補正方法】変更
【補正の内容】
【特許請求の範囲】
【請求項１】  利用者のＷｅｂページ毎の閲覧頻度と、ブックマーク用ＵＲＬリストとを含む検索閲覧行動履歴情報を当該利用者毎に関連付けて行動履歴データベースに記録する手段と、
利用者のコンピュータにおいてＵＲＬをクリックすることにより閲覧されたＷｅｂページの情報を当該利用者のコンピュータから取得する手段と、
前記取得されたＷｅｂページの情報に基づいて、前記行動履歴データベースにおいて当該利用者に関連付けて記録された前記検索閲覧行動履歴情報に含まれる当該利用者の閲覧頻度を更新する手段と、
利用者のコンピュータからのアクセスに応じて、前記行動履歴データベースから、当該利用者に関連付けられた前記検索閲覧行動履歴情報に含まれるブックマーク用ＵＲＬリストを読み込み、前記Ｗｅｂページの閲覧頻度の高低に応じてこのブックマーク用ＵＲＬリストをソートする手段と、
前記ソートしたブックマーク用ＵＲＬリストに基づいてブックマーク用表示画面構成データを作成して該当する利用者のコンピュータに送出する手段と、
を備えることを特徴とする個人用ブックマーク自動作成機能を有したＷＷＷサーバー。
【請求項２】  利用者により入力された検索語に基づいて検索エンジンを用いて該検索語に関連するＷｅｂページのＵＲＬリストを作成して当該利用者のコンピュータに送出する、個人用ブックマーク自動作成機能を有したＷＷＷサーバーにおいて、
前記利用者により入力された検索語と、その検索語による検索結果のＵＲＬリストと、当該検索語の使用頻度とを含む検索閲覧行動履歴情報を、当該利用者毎に関連付けて行動履歴データベースに記録する手段と、
利用者により入力された検索語を当該利用者のコンピュータから取得する手段と、
前記取得された検索語に基づいて、前記行動履歴データベースにおいて当該利用者に関連付けて記録された前記検索閲覧行動履歴情報の使用頻度を更新する手段と、
前記取得された検索語の使用頻度の高低に応じて前記検索結果のＵＲＬリストをソートする手段と、
前記ソートしたＵＲＬリストに基づいてブックマーク用表示画面構成データを作成して該当する利用者のコンピュータに送出する手段と、
を備えることを特徴とする個人用ブックマーク自動作成機能を有したＷＷＷサーバー。
【請求項３】  利用者により入力された検索語に基づいて検索エンジンを用いて該検索語に関連するＷｅｂページのＵＲＬリストを作成して当該利用者のコンピュータに送出するＷＷＷサーバーにおいて、
利用者のＷｅｂページ毎の閲覧頻度と、前記利用者により入力された検索語と、その検索語による検索結果のＵＲＬリストと、当該検索語の使用頻度とを含む検索閲覧行動履歴情報を、当該利用者毎に関連付けて行動履歴データベースに記録する手段と、
利用者のコンピュータにおいてＵＲＬをクリックすることにより閲覧されたＷｅｂページの情報を当該利用者のコンピュータから取得する手段と、
前記取得されたＷｅｂページの情報に基づいて、前記行動履歴データベースにおいて当該利用者に関連付けて記録された前記検索閲覧行動履歴情報に含まれる当該利用者の閲覧頻度を更新する手段と、
利用者により入力された検索語を当該利用者のコンピュータから取得する手段と、
前記取得された検索語に基づいて、前記行動履歴データベースにおいて該当する利用者に関連付けて記録された前記検索閲覧行動履歴情報の使用頻度を更新する手段と、
前記閲覧頻度の高低と、前記取得された検索語の使用頻度の高低とに応じて前記検索結果のＵＲＬリストをソートする手段と、
前記ソートしたＵＲＬリストに基づいてブックマーク用表示画面構成データを作成して該当する利用者の前記コンピュータに送出する手段と、
を備えることを特徴とする個人用ブックマーク自動作成機能を有したＷＷＷサーバー。
【請求項４】  請求項２又は３に記載の個人用ブックマーク自動作成機能を有したＷＷＷサーバーであって、
検索語の入力があった場合には、前記ブックマーク表示画面の画面構成データから該入力された検索語に該当しないＷｅｂページを削除する手段を更に備えることを特徴とする個人用ブックマーク自動作成機能を有したＷＷＷサーバー。
【請求項５】  請求項１〜４のうち何れかに記載の個人用ブックマーク自動作成機能を有したＷＷＷサーバーにおいて、
前記検索閲覧行動履歴情報にはＷｅｂページのリスト順位優先度が含まれ、前記ブックマーク表示画面にはブックマーク情報の追加、削除、及び移動の編集機能が付帯され、
当該ＷＷＷサーバーは、
該編集機能で編集された結果に基づいて前記ブックマーク情報を更新する手段と、
前記行動履歴データベースに、追加又は移動されたＷｅｂページをその編集後のＵＲＬリスト順位に優先させるためのリスト順位優先度情報を記録するとともに、削除されたＷｅｂページに該当する前記検索閲覧行動履歴情報を削除する手段と、を更に備えることを特徴とする個人用ブックマーク自動作成機能を有したＷＷＷサーバー。
【請求項６】  ＷＷＷサーバーにより個人用ブックマークを作成して利用者のコンピュータに送出する方法であって、前記ＷＷＷサーバーが、
利用者のＷｅｂページ毎の閲覧頻度と、ブックマーク用ＵＲＬリストとを含む検索閲覧行動履歴情報を当該利用者毎に関連付けて行動履歴データベースに記録するステップと、
利用者のコンピュータにおいてＵＲＬをクリックすることにより閲覧されたＷｅｂページの情報を当該利用者のコンピュータから取得するステップと、
前記取得されたＷｅｂページの情報に基づいて、前記行動履歴データベースにおいて当該利用者に関連付けて記録された前記検索閲覧行動履歴情報に含まれる当該利用者の閲覧頻度を更新するステップと、
利用者のコンピュータからのアクセスに応じて、前記行動履歴データベースから、当該利用者に関連付けられた前記検索閲覧行動履歴情報に含まれるブックマーク用ＵＲＬリストを読み込み、前記Ｗｅｂページの閲覧頻度の高低に応じてこのブックマーク用ＵＲＬリストをソートするステップと、
前記ソートしたブックマーク用ＵＲＬリストに基づいてブックマーク用表示画面構成データを作成して該当する利用者のコンピュータに送出するステップと、
を実行することを特徴とする方法。
【請求項７】  ＷＷＷサーバーにより、利用者により入力された検索語に基づいて検索エンジンを用いて該検索語に関連するＷｅｂページのＵＲＬリストを作成して当該利用者のコンピュータに送出する方法であって、前記ＷＷＷサーバーが、
前記利用者により入力された検索語と、その検索語による検索結果のＵＲＬリストと、当該検索語の使用頻度とを含む検索閲覧行動履歴情報を、当該利用者毎に関連付けて行動履歴データベースに記録するステップと、
利用者により入力された検索語を当該利用者のコンピュータから取得するステップと、
前記取得された検索語に基づいて、前記行動履歴データベースにおいて当該利用者に関連付けて記録された前記検索閲覧行動履歴情報の使用頻度を更新するステップと、
前記取得された検索語の使用頻度の高低に応じて前記検索結果のＵＲＬリストをソートするステップと、
前記ソートしたＵＲＬリストに基づいてブックマーク用表示画面構成データを作成して該当する利用者のコンピュータに送出するステップと、
を実行することを特徴とする方法。
【請求項８】  ＷＷＷサーバーにより、利用者により入力された検索語に基づいて検索エンジンを用いて該検索語に関連するＷｅｂページのＵＲＬリストを作成して当該利用者のコンピュータに送出する方法であって、前記ＷＷＷサーバーが、
利用者のＷｅｂページ毎の閲覧頻度と、前記利用者により入力された検索語と、その検索語による検索結果のＵＲＬリストと、当該検索語の使用頻度とを含む検索閲覧行動履歴情報を、当該利用者毎に関連付けて行動履歴データベースに記録するステップと、
利用者のコンピュータにおいてＵＲＬをクリックすることにより閲覧されたＷｅｂページの情報を当該利用者のコンピュータから取得するステップと、
前記取得されたＷｅｂページの情報に基づいて、前記行動履歴データベースにおいて該当する利用者に関連付けて記録された前記検索閲覧行動履歴情報に含まれる当該利用者の閲覧頻度を更新するステップと、
利用者により入力された検索語を当該利用者のコンピュータから取得するステップと、
前記取得された検索語に基づいて、前記行動履歴データベースにおいて当該利用者に関連付けて記録された前記検索閲覧行動履歴情報の使用頻度を更新するステップと、
前記閲覧頻度の高低と、前記取得された検索語の使用頻度の高低とに応じて前記検索結果のＵＲＬリストをソートするステップと、
前記ソートしたＵＲＬリストに基づいてブックマーク用表示画面構成データを作成して該当する利用者の前記コンピュータに送出するステップと、
を実行することを特徴とする方法。
【手続補正３】
【補正対象書類名】明細書
【補正対象項目名】０００８
【補正方法】変更
【補正の内容】
【０００８】
【課題を解決するための手段】
上記の目的を達成するため、本発明に係る個人用ブックマーク自動作成機能を有したＷＷＷサーバーは、利用者のＷｅｂページ毎の閲覧頻度と、ブックマーク用ＵＲＬリストとを含む検索閲覧行動履歴情報を当該利用者毎に関連付けて行動履歴データベースに記録する手段と、利用者のコンピュータにおいてＵＲＬをクリックすることにより閲覧されたＷｅｂページの情報を当該利用者のコンピュータから取得する手段と、前記取得されたＷｅｂページの情報に基づいて、前記行動履歴データベースにおいて当該利用者に関連付けて記録された前記検索閲覧行動履歴情報に含まれる当該利用者の閲覧頻度を更新する手段と、利用者のコンピュータからのアクセスに応じて、前記行動履歴データベースから、当該利用者に関連付けられた前記検索閲覧行動履歴情報に含まれるブックマーク用ＵＲＬリストを読み込み、前記Ｗｅｂページの閲覧頻度の高低に応じてこのブックマーク用ＵＲＬリストをソートする手段と、前記ソートしたブックマーク用ＵＲＬリストに基づいてブックマーク用表示画面構成データを作成して該当する利用者のコンピュータに送出する手段と、を備えることを特徴とする。
また、本発明は、利用者により入力された検索語に基づいて検索エンジンを用いて該検索語に関連するＷｅｂページのＵＲＬリストを作成して当該利用者のコンピュータに送出する、個人用ブックマーク自動作成機能を有したＷＷＷサーバーにおいて、前記利用者により入力された検索語と、その検索語による検索結果のＵＲＬリストと、当該検索語の使用頻度とを含む検索閲覧行動履歴情報を、当該利用者毎に関連付けて行動履歴データベースに記録する手段と、利用者により入力された検索語を当該利用者のコンピュータから取得する手段と、前記取得された検索語に基づいて、前記行動履歴データベースにおいて当該利用者に関連付けて記録された前記検索閲覧行動履歴情報の使用頻度を更新する手段と、前記取得された検索語の使用頻度の高低に応じて前記検索結果のＵＲＬリストをソートする手段と、前記ソートしたＵＲＬリストに基づいてブックマーク用表示画面構成データを作成して該当する利用者のコンピュータに送出する手段と、を備えることを特徴とする。
さらに、本発明は、利用者により入力された検索語に基づいて検索エンジンを用いて該検索語に関連するＷｅｂページのＵＲＬリストを作成して当該利用者のコンピュータに送出するＷＷＷサーバーにおいて、利用者のＷｅｂページ毎の閲覧頻度と、前記利用者により入力された検索語と、その検索語による検索結果のＵＲＬリストと、当該検索語の使用頻度とを含む検索閲覧行動履歴情報を、当該利用者毎に関連付けて行動履歴データベースに記録する手段と、利用者のコンピュータにおいてＵＲＬをクリックすることにより閲覧されたＷｅｂページの情報を当該利用者のコンピュータから取得する手段と、前記取得されたＷｅｂページの情報に基づいて、前記行動履歴データベースにおいて当該利用者に関連付けて記録された前記検索閲覧行動履歴情報に含まれる当該利用者の閲覧頻度を更新する手段と、利用者により入力された検索語を当該利用者のコンピュータから取得する手段と、前記取得された検索語に基づいて、前記行動履歴データベースにおいて該当する利用者に関連付けて記録された前記検索閲覧行動履歴情報の使用頻度を更新する手段と、前記閲覧頻度の高低と、前記取得された検索語の使用頻度の高低とに応じて前記検索結果のＵＲＬリストをソートする手段と、前記ソートしたＵＲＬリストに基づいてブックマーク用表示画面構成データを作成して該当する利用者の前記コンピュータに送出する手段と、を備えることを特徴とする。
【手続補正４】
【補正対象書類名】明細書
【補正対象項目名】００１１
【補正方法】変更
【補正の内容】
【００１１】
さらに、本発明のＷＷＷサーバーは、検索語の入力があった場合には、前記ブックマーク表示画面の画面構成データから該入力された検索語に該当しないＷｅｂページを削除する手段を更に備えることとしてもよい。
【手続補正５】
【補正対象書類名】明細書
【補正対象項目名】００１２
【補正方法】変更
【補正の内容】
【００１２】
また、本発明において、前記検索閲覧行動履歴情報にはＷｅｂページのリスト順位優先度が含まれ、前記ブックマーク表示画面にはブックマーク情報の追加、削除、及び移動の編集機能が付帯され、ＷＷＷサーバーは、該編集機能で編集された結果に基づいて前記ブックマーク情報を更新する手段と、前記行動履歴データベースに、追加又は移動されたＷｅｂページをその編集後のＵＲＬリスト順位に優先させるためのリスト順位優先度情報を記録するとともに、削除されたＷｅｂページに該当する前記検索閲覧行動履歴情報を削除する手段と、を更に備えることとしてもよい。
【手続補正６】
【補正対象書類名】明細書
【補正対象項目名】００１６
【補正方法】変更
【補正の内容】
【００１６】
即ち、ＷＷＷサーバー６ａには、各種の情報が記述された多数のＷｅｂページを適宜な記憶媒体に保存格納したデータベース４の他に、登録会員のした検索閲覧行動の履歴情報を適宜な記憶媒体に保存蓄積した検索閲覧行動履歴データベース４ａを別途に有する。
上記検索閲覧行動履歴情報としては、登録会員のＩＤとそのパスワード、登録会員が使用した検索語とその使用頻度、その検索結果のＵＲＬリスト、登録会員が実際に閲覧したＷｅｂページとそのＵＲＬ、及びその閲覧頻度、さらに、この閲覧頻度と検索語使用頻度とにより上記ＵＲＬリストをソートした結果のブックマーク用ＵＲＬリスト、当該登録会員の嗜好により定められるブックマークＵＲＬリストのリスト順位優先度とが設定されている。
【手続補正７】
【補正対象書類名】明細書
【補正対象項目名】００１８
【補正方法】変更
【補正の内容】
【００１８】
ここで、上記認証が取れなかった場合（Ｎｏ）にあっては、認証エラーメッセージを送出して新規登録の要否を訪ねる（ｓ８）。この要否が否であれば、次にブックマーク・サービスを終了させるか否かを尋ね（ｓ１０）、終了(Ｙｅｓ)が選択された場合には、当該ブックマーク・サービスを終了する（ｓ１２）。一方、継続（Ｎｏ）が選択された場合には、正しいＩＤとパスワードとの入力を促して、Ｓ４に戻り再度登録会員の認証を行う。